(57)【要約】      （修正有）【課題】複数の電池を、放電を抑制し整然とした状態で保存することができる電池ホルダを提供する。【解決手段】電池ホルダを、壁面に当接させる当接面１１を有するホルダ本体１０が、複数の孔部が形成された電池保持部２０と、チェッカーを保持させるチェッカー保持部５０とを備えている。電池保持部２０に形成された孔部として、電池を個別に保持させる個別孔部３０ａ，３０ｂと、複数の電池が並設状態で包装されている電池パッケージを保持させる長孔部４１〜４４とを具備している。ここで、個別孔部３０ａ，３０ｂとしては、他の孔部と分離された状態である個別孔部３０ａと、隣接する孔部と一部を連通させて列設されている個別孔部３０ｂとを備えている。【選択図】図１
0003195201.tif 000002
【実用新案登録請求の範囲】
【請求項１】
壁面に当接させる当接面を有するホルダ本体が、前記当接面と反対側の面で開口する複数の孔部を具備しており、
複数の該孔部は何れも電池の規格サイズに対応させたサイズを有していると共に、前記孔部の少なくとも二以上は異なる種類の電池の規格サイズに対応させたサイズを有している
ことを特徴とする電池ホルダ。
【請求項２】
複数の前記孔部として、
電池を個別に保持させる個別孔部と、
複数の電池が並設状態で包装されている電池パッケージを保持させる長孔部とを具備する
ことを特徴とする請求項１に記載の電池ホルダ。
【請求項３】
前記孔部は、当接面を鉛直方向とした状態で、前記当接面から開口縁に向かって上方に傾斜している
ことを特徴とする請求項１または請求項２に記載の電池ホルダ。
【請求項４】
前記ホルダ本体は、
複数の前記孔部が形成された電池保持部と、
電池の電圧を測定するチェッカーを保持させるチェッカー保持部とを備える
ことを特徴とする請求項１乃至請求項３の何れか一つに記載の電池ホルダ。
【請求項５】
前記チェッカー保持部に保持されたチェッカーを更に具備する
ことを特徴とする請求項４に記載の電池ホルダ。
【考案の詳細な説明】
【技術分野】
【０００１】
本考案は、複数の電池を収容し保存することができる電池ホルダに関するものである。
【背景技術】
【０００２】
乾電池は消耗品であるため、一般家庭やオフィス等では未使用品を常備しているのが通常である。また、充電式電池（二次電池）は繰り返して使用することが可能であるが、充電中は使用できないため、スペアを備えていることが通常である。これら予備の電池は、多くの場合、整理用家具の引き出しや適当な箱に収容した状態で保存されている。しかしながら、引き出しや箱に複数の電池を収容すると、乱雑な状態にならざるを得ない。そのため、他の電池と端子同士が接触することにより、保存中に放電してしまうことがあった。また、電池には多数の種類があるが、乱雑な状態で保存されていると、どの種類の電池にいくつの予備品があるかの把握がしにくく、仮に予備品がなくなってしまった種類があっても、そのことに気付きにくいことがあった。従って、予備品を保存していたつもりであったのに、いざ必要となったときに、必要な種類の電池がなかったり放電によって使用できなくなっていたりという事態に陥ることが少なくない、という実情があった。
【考案の概要】
【考案が解決しようとする課題】
【０００３】
そこで、本考案は上記の実情に鑑み、複数の電池を、放電を抑制し整然とした状態で保存することができる電池ホルダの提供を、課題とするものである。
【課題を解決するための手段】
【０００４】
上記課題を解決するため、本考案にかかる電池ホルダは、「壁面に当接させる当接面を有するホルダ本体が、前記当接面と反対側の面で開口する複数の孔部を具備しており、複数の該孔部は何れも電池の規格サイズに対応させたサイズを有していると共に、前記孔部の少なくとも二以上は異なる種類の電池の規格サイズに対応させたサイズを有している」ものである。
【０００５】
電池は、形状が規格で定められており（ＪＩＳ  Ｃ８５００、ＪＩＳ  Ｃ８５１５、ＩＥＣ６００８６）、国際的に高い互換性を有している。本考案の電池ホルダは、電池の規格に対応させたサイズを有する孔部を有しているため、電池をそのサイズに応じた専用の孔部に挿入し保持させることができる。従って、引き出しや箱に複数の電池が乱雑に収容されていた従来とは異なり、各電池の保持位置が固定されるため、複数の電池を整然とした状態で保存することができる。これにより、電池の端子同の接触を防止することができ、保存中の電池の放電を抑制することができる。また、複数の孔部のうち少なくとも二以上は、異なる種類の電池の規格サイズに対応させたものであるため、電池を種類ごとに分別された状態で保存することができる。これにより、どの種類の電池がいくつ保持されているかを、容易に把握することができる。
【０００６】
加えて、本構成の電池ホルダは、ホルダ本体に壁面に当接させる当接面を有しているため、壁掛け式として使用することが可能である。そして、各孔部は、当接面とは反対側の面で開口している。従って、電池ホルダを手の届きやすい高さで壁面に取り付ければ、孔部に電池を挿入し保持させる操作、及び、孔部から電池を取り出す操作がし易く、使い勝手が良い。
【０００７】
本考案にかかる電池ホルダは、上記構成に加え、「複数の前記孔部として、電池を個別に保持させる個別孔部と、複数の電池が並設状態で包装されている電池パッケージを保持させる長孔部とを具備する」ものとすることができる。
【０００８】
「個別孔部」の構成としては、一つの個別孔部が他の孔部とは分離している構成、複数の個別孔部が、一部を連通させて連設されている構成、を例示することができる。
【０００９】
電池は、複数が軸方向を平行にして並べられた状態で、プラスチックフィルムによって包装された「電池パッケージ」として販売されていることが多い。本構成の電池ホルダは、電池を個別に保持させる個別孔部とは別に、電池パッケージを保持させる長孔部を具備しているため、未開封の電池パッケージをそのままの状態で収容することができる。これにより、電池を包装しているプラスチックフィルムによって外気と遮断された状態で電池を保存することができるため、電池の放電をより有効に防止することができる。
【００１０】
本考案にかかる電池ホルダは、上記構成に加え、「前記孔部は、当接面を鉛直方向とした状態で、前記当接面から開口縁に向かって上方に傾斜している」ものとすることができる。
【００１１】
本構成では、電池ホルダの当接面を壁面に当接させ、当接面を鉛直方向とした状態とすると、電池を保持する孔部において開口縁が最も高い位置となる。そのため、本構成の電池ホルダでは、外力が作用して電池ホルダが振動した場合であっても、孔部に保持された電池の落下が抑制されている。
【００１２】
本考案にかかる電池ホルダは、上記構成に加え、「前記ホルダ本体は、複数の前記孔部が形成された電池保持部と、電池の電圧を測定するチェッカーを保持させるチェッカー保持部とを備える」ものとすることができる。
【００１３】
「チェッカー保持部」の構成としては、チェッカーを載置させる載置面を有する構成、チェッカーを挿入して保持させるチェッカー用孔部を有する構成を、例示することができる。
【００１４】
本構成の電池ホルダは、ホルダ本体にチェッカー保持部を備えているため、ここにチェッカーを保持させることにより、予備の電池とチェッカーとを常時一緒にしておくことができる。これにより、使用中の電池を予備の電池に取り換えようとする際に、使用中の電池の電圧を測定し電気の残量をチェックすることにより、新しい電池に取り換える時期であるか否かを的確に判断することができる。また、予備の電池についても、使用の開始前にチェッカーで電圧を測定することにより、保存中に放電していないかどうかを確認することができる。
【００１５】
本考案にかかる電池ホルダは、チェッカー保持部を備える上記構成において、「前記チェッカー保持部に保持されたチェッカーを更に具備する」ものとすることができる。
【００１６】
本構成では、電池ホルダの構成として最初からチェッカーが付属している。従って、需要者が自分でチェッカーを別途用意する必要がなく、便利である。また、チェッカー保持部の構成を、チェッカーの形状やサイズにぴったりと合わせて設定することが可能である。そのため、チェッカー保持部にチェッカーを保持させた状態を、安定させることができる利点がある。
【考案の効果】
【００１７】
以上のように、本考案によれば、複数の電池を、放電を抑制し整然とした状態で保存することができる電池ホルダを、提供することができる。
【図面の簡単な説明】
【００１８】
【図１】本考案の一実施形態の電池ホルダの斜視図である。
【図２】図１の電池ホルダの正面図である。
【図３】図２におけるＡ−Ａ線断面図である。
【図４】図１の電池ホルダの使用状態を示す斜視図である。
【考案を実施するための形態】
【００１９】
以下、本考案の一実施形態である電池ホルダ１について、図１乃至図４を用いて説明する。電池ホルダ１は、ホルダ本体１０と、電池の電圧を測定するチェッカー６０とを具備している。
【００２０】
ここで、ホルダ本体１０は、壁面に当接させる当接面１１と、当接面１１と反対側の面で開口する複数の孔部を具備しており、複数の孔部は何れも電池の規格サイズに対応させたサイズを有していると共に、孔部の少なくとも二以上は異なる種類の電池の規格サイズに対応させたサイズを有しているものである。
【００２１】
また、ホルダ本体１０は、複数の孔部が形成された電池保持部２０と、チェッカー６０を保持させるチェッカー保持部５０とを備えている。
【００２２】
より詳細に説明すると、電池保持部２０は略直方体で、対向する一対の面が他の二対の面より面積が大であることにより扁平な形状を呈している。そして、この面積の大きい一対の面の一方が、電池を保持させる孔部が開口している面である。他方の面は、一端辺から延設しており、延設している部分を合わせて壁面に当接させる当接面１１を構成している。ここで、当接面１１が電池保持部２０より延設している方向は、当接面１１を鉛直とした状態で上方向である。従って、この状態で、電池保持部２０の上面は、当接面１１に対して段部２１を構成しており、ここに物品を載置可能である。以下では、「上」、「下」、及び「正面」の語を、当接面１１を鉛直とし段部２１を上に向けた状態を基準として使用する。
【００２３】
本実施形態では、電池保持部２０に形成された孔部として、電池９１を個別に保持させる個別孔部３０ａ，３０ｂと、複数の電池９１が並設状態で包装されている電池パッケージ９２を保持させる長孔部４１〜４４とを具備している。ここで、個別孔部３０ａ，３０ｂとしては、他の孔部と分離された状態である個別孔部３０ａと、隣接する孔部と一部を連通させて列設されている個別孔部３０ｂとを備えている。
【００２４】
具体的には、電池保持部２０は、円筒形の電池を保持させる孔部として、単１形の電池９１を保持させる個別孔部３１、単１形の電池パッケージ９２を保持させる長孔部４１、単２形の電池９１を保持させる個別孔部３２、単２形の電池パッケージ９２を保持させる長孔部４２、単３形の電池９１を保持させる個別孔部３３、単３形の電池パッケージ９２を保持させる長孔部４３、単４形の電池９１を保持させる個別孔部３４、及び、単４形の電池パッケージ９２を保持させる長孔部４４を備えている。個別孔部３１〜３４のうち、単１形及び単２形の個別孔部３１，３２は、他の孔部と分離された状態の個別孔部３０ａであり、それぞれ単１形及び単２形の電池の直径より僅かに大きな（例えば、＋０．５ｍｍ〜５ｍｍ）内径を有する有底円筒状の孔部である。一方、単３形及び単４形の個別孔部３３，３４は、複数の個別孔部３０ｂが隣接する個別孔部３０ｂと一部を連通させている構成である。一つの個別孔部３０ｂ（３３，３４）は、それぞれ単３形及び単４形の電池の直径より僅かに大きな（例えば、＋０．５ｍｍ〜５ｍｍ）内径を有する有底円筒状の孔部である。これらの個別孔部３１〜３４には、それぞれの種類の電池９１を一つずつ保持させることができる。
【００２５】
長孔部４１〜４４は、それぞれ単１形、単２形、単３形、及び単４形の電池の直径より僅かに長い（例えば、＋０．５ｍｍ〜５ｍｍ）幅を有しており、両端はその幅と同一直径の半円弧状に形成されている。これらの長孔部４１〜４４には、それぞれの種類の電池９１の複数がプラスチックフィルムで包装された状態の電池パッケージ９２を保持させることができる。これにより、電池を包装しているプラスチックフィルムによって外気と遮断された状態で電池を保存することができるため、電池の放電をより有効に防止することができる。
【００２６】
これらの個別孔部３１〜３４及び長孔部４１〜４４は、図３に示すように、何れも当接面１１から開口縁に向かって上方に傾斜している。これにより、外力が作用して電池ホルダ１が振動した場合であっても、孔部に保持された電池の落下が抑制されている。
【００２７】
更に、当接面１１には、図２に示すように、個別孔部３１〜３４及び長孔部４１〜４４それぞれに電池を挿入した状態で電池と同心となる位置に、円形の貫通孔３９が穿設されている。これらの貫通孔３９の内径は、それぞれの種類の電池において突出している陽極の外径より大きい。従って、個別孔部３１〜３４及び長孔部４１〜４４それぞれに、陽極の方向が当接面１１側となる向きで電池を挿入することにより、貫通孔３９を電池の陽極が挿通した状態となる。これにより、電池を個別孔部３１〜３４及び長孔部４１〜４４それぞれに保持させた状態で、電池のがたつきが低減され、電池の保持状態が安定する。
【００２８】
電池保持部２０の上面が構成している上記の段部２１からは、上方に向かって一対の側部支持壁５１が立設されており、一対の側部支持壁５１間の距離は、チェッカー６０の幅長さより僅かに長く（例えば、＋０．５ｍｍ〜２ｍｍ）設定されている。また、一対の側部支持壁５１それぞれの正面側の端辺からは、相手側に向かって前部支持壁５２が延設されている。この前部支持壁５２と当接面１１との間の距離は、チェッカー６０の厚さより僅かに長く（例えば、＋０．５ｍｍ〜２ｍｍ）設定されている。従って、一対の側部支持壁５１間の空隙にチェッカー６０を上方から挿入すると、チェッカー６０の側面が側部支持壁５１によって支持され、側面近傍におけるチェッカー６０の前面が前部支持壁５２によって支持されることにより、チェッカー６０が安定的に保持される。ここで、一対の側部支持壁５１間の空隙がチェッカー保持部５０であり、一対の側部支持壁５１間における段部２１（電池保持部２０の上面）がチェッカー６０の載置面である。
【００２９】
また、段部２１には、一対の側部支持壁５１間の約中央の位置において、正面側の端辺に沿って窪み部５６が形成されている。チェッカー保持部５０からチェッカー６０を取り出す際に、この窪み部５６に指先を挿入することにより、チェッカー保持部５０からチェッカー６０を取り出す操作がし易い。
【００３０】
なお、チェッカー６０は、電池の負極を当接させる第一電極部６１と、第一電極部６１に対してスライドし、電池の陽極を当接させる第二電極部６２とを有しており、第一電極部６１と第二電極部６２とで電池を挟むことにより電池の電圧が測定され、その電圧に応じて表示部６３の針が振れる構成である。表示部６３は、針の触れる領域が色分け表示されており、電気の残量の目安が緑色（残量が十分）、黄色（残量が僅か）、及び赤色（残量なし）で示されている。
【００３１】
当接面１１は、上端部の左右に貫通した小孔部１８を有している。この小孔部１８に挿通した釘やビス等により、電池ホルダ１を壁面に取り付けることができる。なお、本実施形態では当接面１１の下端中央に、逆Ｖ字形の凹部１９を備えている。この凹部１９の位置で釘やビス等を壁面に打ち込み、釘やビス等の頭部で当接面１１を壁面に対して押圧することにより、小孔部１８を介して上端部が壁面に固定された電池ホルダ１の下端側が、壁面に対してバタつくおそれを防止することができる。
【００３２】
以上のように、本実施形態の電池ホルダ１によれば、単１形〜単４形の円筒形の電池を、そのサイズに応じた専用の孔部３１〜３４，４１〜４４に挿入し保持させることができる。これにより、各電池の保持位置が固定されるため、複数の電池を整然とした状態で保存することができる。また、電池の端子同士の接触を防止することができるため、保存中の電池の放電を抑制することができる。加えて、単１形〜単４形の電池を種類ごとに分別された状態で保持することができるため、どの種類の電池がいくつあるかを容易に把握することができる。
【００３３】
また、電池ホルダ１は壁掛け式であり、各孔部は正面側に開口しているため、電池ホルダ１を手の届きやすい高さで壁面に取り付ければ、孔部に電池を挿入し保持させる操作、及び、孔部から電池を取り出す操作がし易く、使い勝手が良い。
【００３４】
更に、電池ホルダ１はホルダ本体１０にチェッカー保持部５０を備えており、ここにチェッカー６０が保持されているため、予備の電池とチェッカー６０とが常時一緒にある。そのため、使用中の電池を予備の電池に取り換えようとする際に、使用中の電池の電圧を測定し電気の残量をチェックすることにより、新しい電池に取り換える時期であるか否かを的確に判断することができる。また、予備の電池についても、使用の開始前にチェッカーで電圧を測定することにより、保存中に放電していないかどうかを確認することができる。
【００３５】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３６】
例えば、上記では、電池保持部２０の孔部３１〜３４，４１〜４４が何れも円筒形の電池の規格サイズに対応させたものである場合を例示した。これに限定されず、平形や角形の電池の規格サイズに対応させた孔部を備える電池ホルダとすることができる。
【符号の説明】
【００３７】
１  電池ホルダ
１０  ホルダ本体
１１  当接面
２０  電池保持部
３１，３２，３３，３４  個別孔部（孔部）
３０ａ，３０ｂ  個別孔部（孔部）
４１，４２，４３，４４  長孔部（孔部）
５０  チェッカー保持部
６０  チェッカー
９１  電池
９２  電池パッケージ
【図１】
0003195201.tif 000003
【図２】
0003195201.tif 000004
【図３】
0003195201.tif 000005
【図４】
0003195201.tif 000006